(57)【要約】【課題】球部材の位置に係る初期化動作をユーザーに不自然さや不快感を与えることなく行うとともに、像振れ補正動作時には球部材が常に転がり摩擦の状態になるようにして、良好な像振れ補正性能を与える。【解決手段】可動鏡筒３５と固定鏡筒３１との間に狭持され、可動鏡筒と固定鏡筒の少なくとも一方の面に形成された凹部３１ａ内で転動しつつ、固定鏡筒に対する可動鏡筒の移動を案内する球部材３４ａと、可動鏡筒の固定鏡筒に対する位置を制御可能な振れ補正手段とを具備する撮影レンズが着脱可能な撮像装置において、撮影レンズが撮像装置に装着された時に、振れ補正手段を駆動して、球部材を凹部内の転動可能範囲の中点に位置させる初期化動作を行うように撮影レンズに指示する指示手段を有する。【選択図】図４
2008070659.tif 000002
【特許請求の範囲】
【請求項１】
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段とを具備する撮影レンズが着脱可能な撮像装置において、
前記補正レンズを介して被写体像を光学的に観察可能にするファインダ手段と、
前記撮影レンズが前記撮像装置に装着された時に、前記振れ補正手段を駆動して、前記球部材を前記凹部内の転動可能範囲の中点に位置させる初期化動作を行うように前記撮影レンズに指示する指示手段とを有することを特徴とする撮像装置。
【請求項２】
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段とを具備する撮影レンズが着脱可能な撮像装置において、
前記補正レンズを介して被写体像を光学的に観察可能にするファインダ手段と、
最後に操作部材が操作されてから一定時間、前記操作部材が操作されなかった時に、前記振れ補正手段を駆動して、前記球部材を前記凹部内の転動可能範囲の中点に位置させる初期化動作を行うように前記撮影レンズに指示する指示手段とを有することを特徴とする撮像装置。
【請求項３】
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段とを具備する撮影レンズが着脱可能な撮像装置において、
前記補正レンズを介して被写体像を光学的に観察可能にするファインダ手段と、
画角の一方向への変更操作が行われている時に、前記振れ補正手段を駆動して、前記球部材を前記凹部内の転動可能範囲の中点に位置させる初期化動作を行うように前記撮影レンズに指示する指示手段とを有することを特徴とする撮像装置。
【請求項４】
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段とを具備する撮影レンズが着脱可能な撮像装置において、
前記補正レンズを介して被写体像を光学的に観察可能にするファインダ手段と、
撮像素子への露光期間の直前もしくは直後に、前記振れ補正手段を駆動して、前記球部材を前記凹部内の転動可能範囲の中点に位置させる初期化動作を行うように前記撮影レンズに指示する指示手段とを有することを特徴とする撮像装置。
【請求項５】
撮像装置に着脱可能な撮影レンズにおいて、
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段と、
前記撮影レンズが前記撮像装置に装着された旨の信号を前記撮像装置から受けた時に、前記振れ補正手段を駆動して、前記球部材を前記凹部内の転動可能範囲の中点に位置させる初期化動作を行う初期化手段とを有することを特徴とする撮影レンズ。
【請求項６】
撮像装置に着脱可能な撮影レンズにおいて、
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段と、
前記撮像装置の操作部材が最後に操作されてから一定時間操作されなかった旨の信号を前記撮像装置から受けた時に、前記振れ補正手段を駆動して、前記球部材を前記凹部内の転動可能範囲の中点に位置させる初期化動作を行う初期化手段とを有することを特徴とする撮影レンズ。
【請求項７】
撮像装置に着脱可能な撮影レンズにおいて、
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段と、
画角の一方向への変更操作が行われている旨の信号を前記撮像装置から受けた時に、前記振れ補正手段を駆動して、前記球部材を前記凹部内の転動可能範囲の中点に位置させる初期化動作を行う初期化手段とを有することを特徴とする撮影レンズ。
【請求項８】
撮像装置に着脱可能な撮影レンズにおいて、
撮影光学系を保持する固定鏡筒と、
像振れ補正用の補正レンズを光軸に略垂直な平面内で前記固定鏡筒に対して移動可能に保持する可動鏡筒と、
前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、
前記可動鏡筒の前記固定鏡筒に対する位置を制御可能な振れ補正手段と、
撮像素子への露光の直前もしくは直後に出力される信号を前記撮像装置から受けた時に、前記振れ補正手段を駆動して、前記球部材を前記凹部内の転動可能範囲の中点に位置させる初期化動作を行う初期化手段とを有することを特徴とする撮影レンズ。
【発明の詳細な説明】
【技術分野】
【０００１】
本発明は、手振れ等による像振れを補正する機能を備えた撮影レンズと、当該撮影レンズが着脱可能な撮像装置に関する。
【背景技術】
【０００２】
近年カメラの高機能化が進んでおり、高機能化の一環としていわゆる手振れ等による像振れを補正する機能を搭載したカメラが多く見られる。像振れ補正手段としては、特許文献１に開示されているように、ジャイロ信号を基に手振れ等の振れの検出を行い、光学系の一部を操作することによって像振れ補正を行うものが多い。
【０００３】
上記像振れ補正手段の機構の望ましい特性としては、
１）摩擦が小さく、目標への追従が良いこと
２）共振周波数を設計者が操作しやすいこと
などが挙げられる。これらを実現する機構として、特許文献２が提案されている。
【０００４】
特許文献２に開示された機構の特徴は、可動鏡筒と固定鏡筒の間に複数の球を挟持し、弾性体で押圧していることである。このような構成とすることで、可動鏡筒を転がり摩擦によって駆動でき、摩擦力を軽減できる。また、可動鏡筒の重量と弾性体の弾性係数の比によって共振周波数が決まるので、目標とする共振周波数を容易に得ることができる。結果として良好な制御性を得て、小さな振動に対しても適切に応答できる機構を実現している。
【０００５】
特許文献２に示すような機構では、ボールが常に転がりの状態にあることが望ましい。ボール受け部の端面に接触した状態ではすべり摩擦に移行してしまい、追従性が低下するためである。そこで特許文献２では、予め最大移動量または実移動量分動かして初期化することを開示している。
【０００６】
特許文献３は、像振れ補正手段の初期化タイミングについて開示しており、電池の抜き差しに連動して像振れ補正手段の初期化を行うことを開示している。
【特許文献１】特開昭６０−１４３３３０号公報
【特許文献２】特開２００１−２９０１８４号公報
【特許文献３】特開平７−２７０８４６号公報
【発明の開示】
【発明が解決しようとする課題】
【０００７】
上記特許文献２によると、予め最大移動量または実移動量分動かして初期化することが可能である。しかし、そのタイミングは必ずしも適切であるとは限らない。また、球の位置を初期化するのに必ずしも適した動作、機構となっているとは限らない。また、特許文献３によると、電池の抜き差しに連動して像振れ補正手段の初期化を行うが、初期化の頻度として必ずしも適切であるとは限らない。
【０００８】
近年の撮影光学系が撮像面上に結ぶ像と等価な像を光学的に観察可能にするファインダを備える撮像装置においては、上記初期動作のタイミングが適切でないと、該初期化動作がファインダを通してユーザーに見えてしまい、ユーザーに不自然さや不快感を与えるものであった。
【０００９】
（発明の目的）
本発明の目的は、球部材の位置に係る初期化動作をユーザーに不自然さや不快感を与えることなく行うとともに、像振れ補正動作時には球部材が常に転がり摩擦の状態になるようにして、良好な像振れ補正性能を与えることのできる撮像装置および撮影レンズを提供しようとするものである。
【課題を解決するための手段】
【００１０】
上記目的を達成するために、本発明は、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段とを具備する撮影レンズが着脱可能な撮像装置において、前記補正レンズを介して被写体像を光学的に観察可能にするファインダ手段と、前記撮影レンズが前記撮像装置に装着された時に、前記振れ補正手段を駆動して、前記球部材を前記凹部内の転動可能範囲の中点に位置させる初期化動作を行うように前記撮影レンズに指示する指示手段とを有する撮像装置とするものである。
【００１１】
同じく上記目的を達成するために、本発明は、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段とを具備する撮影レンズが着脱可能な撮像装置において、前記補正レンズを介して被写体像を光学的に観察可能にするファインダ手段と、最後に操作部材が操作されてから一定時間、前記操作部材が操作されなかった時に、前記振れ補正手段を駆動して、前記球部材を前記凹部内の転動可能範囲の中点に位置させる初期化動作を行うように前記撮影レンズに指示する指示手段とを有する撮像装置とするものである。
【００１２】
同じく上記目的を達成するために、本発明は、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段とを具備する撮影レンズが着脱可能な撮像装置において、前記補正レンズを介して被写体像を光学的に観察可能にするファインダ手段と、画角の一方向への変更操作が行われている時に、前記振れ補正手段を駆動して、前記球部材を前記凹部内の転動可能範囲の中点に位置させる初期化動作を行うように前記撮影レンズに指示する指示手段とを有する撮像装置とするものである。
【００１３】
同じく上記目的を達成するために、本発明は、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段とを具備する撮影レンズが着脱可能な撮像装置において、前記補正レンズを介して被写体像を光学的に観察可能にするファインダ手段と、撮像素子への露光期間の直前もしくは直後に、前記振れ補正手段を駆動して、前記球部材を前記凹部内の転動可能範囲の中点に位置させる初期化動作を行うように前記撮影レンズに指示する指示手段とを有する撮像装置とするものである。
【００１４】
同じく上記目的を達成するために、本発明は、撮像装置に着脱可能な撮影レンズにおいて、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段と、前記撮影レンズが前記撮像装置に装着された旨の信号を前記撮像装置から受けた時に、前記振れ補正手段を駆動して、前記球部材を前記凹部内の転動可能範囲の中点に位置させる初期化動作を行う初期化手段とを有する撮影レンズとするものである。
【００１５】
同じく上記目的を達成するために、本発明は、撮像装置に着脱可能な撮影レンズにおいて、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段と、前記撮像装置の操作部材が最後に操作されてから一定時間操作されなかった旨の信号を前記撮像装置から受けた時に、前記振れ補正手段を駆動して、前記球部材を前記凹部内の転動可能範囲の中点に位置させる初期化動作を行う初期化手段とを有する撮影レンズとするものである。
【００１６】
同じく上記目的を達成するために、本発明は、撮像装置に着脱可能な撮影レンズにおいて、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段と、画角の一方向への変更操作が行われている旨の信号を前記撮像装置から受けた時に、前記振れ補正手段を駆動して、前記球部材を前記凹部内の転動可能範囲の中点に位置させる初期化動作を行う初期化手段とを有する撮影レンズとするものである。
【００１７】
同じく上記目的を達成するために、本発明は、撮像装置に着脱可能な撮影レンズにおいて、撮影光学系を保持する固定鏡筒と、像振れ補正用の補正レンズを光軸に略垂直な平面内で前記固定鏡筒に対して移動可能に保持する可動鏡筒と、前記可動鏡筒と前記固定鏡筒との間に狭持され、前記可動鏡筒と前記固定鏡筒の少なくとも一方の面に形成された凹部内で転動しつつ、前記固定鏡筒に対する前記可動鏡筒の移動を案内する球部材と、前記可動鏡筒の前記固定鏡筒に対する位置を制御可能な振れ補正手段と、撮像素子への露光の直前もしくは直後に出力される信号を前記撮像装置から受けた時に、前記振れ補正手段を駆動して、前記球部材を前記凹部内の転動可能範囲の中点に位置させる初期化動作を行う初期化手段とを有する撮影レンズとするものである。
【発明の効果】
【００１８】
本発明によれば、球部材の位置に係る初期化動作をユーザーに不自然さや不快感を与えることなく行うとともに、像振れ補正動作時には球部材が常に転がり摩擦の状態になるようにして、良好な像振れ補正性能を与えることができる撮像装置または撮影レンズを提供できるものである。
【発明を実施するための最良の形態】
【００１９】
本発明を実施するための最良の形態は、以下の実施例１ないし４に示す通りである。
【実施例１】
【００２０】
図１ないし図７を用いて、本発明の実施例１に係る撮像装置について説明する。
【００２１】
図１は、撮像装置を示す断面図である。図１において、１は撮像装置、２は撮影光学系、３は撮影光学系２に含まれる後述の補正レンズ１２を駆動するレンズ駆動装置、４は撮影光学系２の光軸、５は撮影レンズである。６は撮像素子、７はメモリ、８は手振れ等の振れを検出する振れセンサ、９は補正レンズ制御回路である。１０は電源、１１はレリーズ釦、１２は補正レンズ、１３はいわゆるクイックリターンミラー、１４はファインダ光学系である。
【００２２】
撮像装置１は、撮影光学系２と不図示のピント調整機構を用いて、像を撮像素子６の近傍に結像させる。さらに、ユーザーによるレリーズ釦１１の操作に同期させて、撮像素子６より被写体の情報を得て、メモリ７へ記録を行う。
【００２３】
本実施例１における撮像装置１は、光学的ファインダ（以下、ＯＶＦ）を有している。ＯＶＦへの光束はクイックリターンミラー１３を介してファインダ光学系１４に導かれる。ユーザーはファインダを介して構図を決定し、レリーズ釦１１を操作して撮像を行う。
【００２４】
次に、いわゆる手振れ等による振れの補正について説明する。補正レンズ１２は光軸４と直交する方向に移動されて撮像素子６上の像を大きく劣化させること無く動かすことができる。露光中などに手振れが作用したときは、振れセンサ８からの信号に基づいてレンズ制御回路９を介してレンズ駆動装置３を動作させる。この結果、撮像素子６上での像振れが軽減されて、手振れ等による画像の劣化を補正することができる。なお、上記補正レンズ１２、レンズ駆動装置３、補正レンズ制御回路９などにより像振れ補正装置が構成される。
【００２５】
図２は、撮像装置１の電気的構成を示すブロック図である。撮像装置１は、撮像系、画像処理系、記録再生系、カメラ制御系を有する。撮像系は、撮像素子６を主な構成要素とする。画像処理系は、Ａ／Ｄ変換部２０、画像処理回路２１を含む。記録再生系は、記録処理回路２３、メモリ２４を含む。カメラ制御系は、カメラシステム制御回路２５、ＡＦセンサ２６、ＡＥセンサ２７、および操作検出回路２９を含む。
【００２６】
撮影レンズ５は、撮影光学系、レンズ制御系を有する。撮影光学系は、補正レンズ１２を含む撮影光学系２を主な構成要素とする。レンズ制御系は、振れセンサ８とレンズシステム制御回路３０、および後述する初期化回路２８を有する。
【００２７】
撮像系は、物体からの光を、撮影光学系２を介して撮像素子６の撮像面に結像する光学処理系である。そして、撮像素子６の撮像面に結像された像はＡＥセンサ２７の信号をもとに図示しない絞りなどを用いて適切な光量の物体光を撮像素子６に露光される。画像処理回路２１は、Ａ／Ｄ変換部２０を介して撮像素子６から受けた画素数分の画像信号を処理するものである。そのため、この画像処理回路２１は、ホワイトバランス部、ガンマ補正部、補間演算による高解像度化を行う補間演算部等を有する。
【００２８】
記録再生系に含まれる記録処理回路２３は、メモリ２４へ画像信号を出力するとともに、表示部２２に出力する像を生成、保存する。また、予め定められた方法を用いて画像や動画の圧縮を行う。
【００２９】
カメラ制御系は、レリーズ釦１１等の操作を検出する操作検出回路２９からの検出信号に応動して各部を制御する。カメラ制御系に含まれるカメラシステム制御回路２５は、撮影の際のタイミング信号などを生成して出力する。ＡＦセンサ２６は撮像装置１のピント状態を検出する。ＡＥセンサ２７は被写体の輝度を検出する。振れセンサ８は所謂手振れ等の振れを検出する。レンズシステム制御回路３０は、撮像装置１と撮影レンズ５とを接続するマウントに設けられた不図示のマウント接点を介してカメラシステム制御回路２５に接続されており、カメラシステム制御回路２５からの信号に応じて適切にレンズなどを制御する。
【００３０】
なお、本実施例においては振れセンサ８は、撮影レンズ５に配置されているものとして説明するが、撮影レンズ５が撮像装置１に装着された状態で振動が検出されれば良いので、撮像装置１側に配置されていても構わない。
【００３１】
また、カメラ制御系は、外部操作に応動して撮像系、画像処理系、記録再生系をそれぞれ制御する。例えば、レリーズ釦１１の押下を検出して、撮像素子６の駆動、画像処理回路２１の動作、記録処理回路２３の圧縮処理などを制御する。さらに、表示部２２によって光学ファインダ、液晶モニター等に情報表示を行う情報表示装置の各セグメントの状態を制御する。
【００３２】
カメラシステム制御回路２５にはＡＦセンサ２６とＡＥセンサ２７が接続されており、これらの信号を基にレンズ、絞り等を適切に制御する。さらにカメラシステム制御部２５には、不図示のマウント接点を介して振れセンサ８が接続されており、像振れ補正を行うモードにおいては、振れセンサ８の信号を基にレンズ駆動装置３を介して補正レンズ１２を駆動する。
【００３３】
図３は、本実施例１の要部であるレンズ駆動装置３の分解斜視図である。図３において、３１は固定鏡筒、３２ａ，３２ｂ，３２ｃはフォロワピン、３３ａ，３３ｂはコイルである。３４ａ，３４ｂ，３４ｃは固定鏡筒３１と可動鏡筒３５に狭持される球、３５は図1等に示した補正レンズ１２を保持する可動鏡筒である。３６ａ，３６ｂ，３６ｃは固定鏡筒３１と可動鏡筒３５の間を球３４ａ〜３４ｃを挟んで弾性支持する弾性体である。３７ａ，３７ｂはマグネット、３８はマグネット吸着板、３９は可動鏡筒３５の光軸方向の規制部材である。４０はＦＰＣ（フレキシブルプリント基板）、４１はＦＰＣ固定板である。
【００３４】
図３を用いて、レンズ駆動装置３の基本構成を説明する。固定鏡筒３１にはフォロワピン３２ａ，３２ｂ，３２ｃおよびコイル３３ａ，３３ｂが固定される。コイル３３ａ，３３ｂは図１に示した補正レンズ制御回路９を介して給電される。可動鏡筒３５には補正レンズ１２（図３では不図示）が固定される。固定鏡筒３１に対して可動鏡筒３５、つまり補正レンズ１２が光軸４に直交する方向に移動することで、手振れ等による像振れの補正が行われる。球３４ａ，３４ｂ，３４ｃは可動鏡筒３５と固定鏡筒３１によって狭持されている。可動鏡筒３５と固定鏡筒３１が球３４ａ，３４ｂ，３４ｃと接する部分が共に平面ではこれら球３４ａ，３４ｂ，３４ｃを保持できない。そこで、本実施例１では、固定鏡筒３１に円形の凹部（図４にて後述）が設けられている。
【００３５】
マグネット吸着板３８は可動鏡筒３５に対してビス止めなど適切な方法で固定される。マグネット３７ａ，３７ｂはマグネット吸着板３８に吸着させることにより、可動鏡筒３５に固定される。マグネット３７ａ，３７ｂの固定にはさらに接着剤を併用することも出来る。可動鏡筒３４、マグネット吸着板３８、マグネット３７ａ，３７ｂおよび補正レンズ１２をまとめて“可動部”と呼ぶ。この可動部は一体として固定鏡筒３１に対して相対運動を行う。
【００３６】
弾性体３６ａ，３６ｂ，３６ｃは可動鏡筒３５上の引っ掛け部と固定鏡筒３１上の引っ掛け部の間に設けられる。本実施例１では、弾性体３６ａ，３６ｂ，３６ｃは１２０度おきに３方向に設けられ、その弾性係数は等しい。さらに、光軸４の方向の力を発生して球３４ａ，３４ｂ，３４ｃを狭持するように光軸に直交する平面に対して傾けて取り付けられる。弾性体３６ａ，３６ｂ，３６ｃの弾性係数は、球３４ａ，３４ｂ，３４ｃの接触面の圧力、可動部の重量、狙いとする共振周波数などを勘案して適切に設定される。規制部材３９は非磁性体で形成され、可動部が光軸４の方向に移動することを規制する。ＦＰＣ４０は補正レンズ制御回路９からコイル３３ａ，３３ｂへの給電を中継し、ＦＰＣ固定板４１はＦＰＣ４０を適切に固定している。
【００３７】
ここで、コイル３３ａ，３３ｂに通電されると、コイル３３ａ，３３ｂとマグネット３７ａ，３７ｂの間にはフレミング左手の法則にしたがって駆動力が発生する。発生した駆動力と弾性体３６ａ，３６ｂ，３６ｃの合力がつりあう位置まで可動部が移動する。
【００３８】
図４は、可動鏡筒３５と固定鏡筒３１によって球３４ａが狭持されている部分の断面図である。図４を用いて、球３４ａを狭持する機構における初期化動作の必要性について説明する。
【００３９】
図４（ａ）は、球３４ａが固定鏡筒３１に設けられた円形の凹部３１ａの中央に位置する様子を示す図である。図４（ｂ）は、図４（ａ）の位置から右方向に可動鏡筒３５が移動し、それに伴って凹部３１ａ内において球３４ａも右方向に移動した状態を示す図である。図４（ａ）から図４（ｂ）までの間は、球３４ａは凹部３１ａ内で転がり、可動鏡筒３５は非常に小さい摩擦で固定鏡筒３１に対して相対運動を行うことが出来る。図４（ｂ）では、大きく可動鏡筒３５を動かしたために凹部３１ａの側壁に接する接触点５１が発生している。図４（ｂ）の状態からさらに右方向に可動鏡筒３５を動かそうとすると、球３４ａは転がることが出来ないので、可動鏡筒３５と球３４ａの間ですべりが発生する。転がり摩擦に比べてすべり摩擦は摩擦係数が大きいので、すべり摩擦に移行すると、消費電力が増大する。また、必要な駆動力が大きく異なるので、転がり摩擦からすべり摩擦への移行付近で、像振れ補正動作を適切に行うことが困難になる。
【００４０】
上記のような問題があるために、通常の動作範囲においては、球３４ａは固定鏡筒３１に設けられた円形の凹部３１ａの側壁に接触することなく転がるようになっている。つまり、初期的に、補正レンズ１２の光軸を撮影光学系２の光軸４に一致させたときに、球３４ａが固定鏡筒３１に設けられた円形の凹部３１ａの中心付近となるように設定している。このような状態で可動鏡筒３５が通常動作範囲を移動したとき、球３４ａが固定鏡筒３１に設けられた凹部３１ａの側壁に接触しないように、該球３４ａの径と凹部３１ａの径が定められている。
【００４１】
しかしながら、外部からの思わぬ振動や衝撃が作用した場合は、上記の初期的な位置関係が崩れる可能性がある。補正レンズ１２の光軸と撮影光学系２の光軸４を一致させたときに、既に球３４ａが円形の凹部３１ａの側壁に極めて近い位置に来ることがある。像振れ補正の性能を劣化させないためには、このような状態から球３４ａを初期的な状態に戻すための初期化動作が必要となる。ここで、補正レンズ１２の光軸と撮影光学系２の光軸４を一致させたときに、可動鏡筒３５と固定鏡筒３１で狭持されている球３４ａ，３４ｂ，３４ｃの位置が適切な状態となるように戻す動作を“初期化動作”と呼ぶ。この初期化動作を行うのが初期化回路２８である。この初期化回路２８は、レンズシステム制御回路３０から指示があったときに初期化動作を開始する。具体的なタイミングは後述する。
【００４２】
ここでは１つの球３４ａの１軸方向に限って説明を行ったが、他の２つの球３４ｂ，３４ｃや他の方向についてもまったく同じ問題が生じる。
【００４３】
次に、上記の初期化動作について、図５を用いて説明する。図４（ａ）に示すように、球３４ａの直径をｄ、球３４ａを受ける円形の凹部３１ａの径をＤとして説明する。初期化動作は、図５に示すように、経時的にＳ字を描くように動作となる。図５の縦軸は補正レンズ１２の光軸と撮影光学系２の光軸４を一致させたときを０として、そこからの相対変位量を示している。図５のｔａの時点では、補正レンズ１２の光軸と撮影光学系２の光軸４は一致しているが、球３４ａはどの位置にあるか不明である。
【００４４】
次に、１軸方向に（Ｄ−ｄ）の変位を行う。この状態が図５のｔｂの時点である。図５のｔｂの時点では、ｔａの時点の球３４ａの初期位置にかかわらず、該球３４ａを受ける凹部３１ａの側壁に接触している。図５の正方向を図４の右方向とした場合、図５のｔｂ時点での可動鏡筒３５、固定鏡筒３１、球３４ａの相対位置は、図４（ｂ）の状態となる。次に、反対方向に（Ｄ−ｄ）の１．５倍の変位を行う。この状態が図５のｔｃの時点である。図５のｔｃの時点では、球３４ａはｔｂの時点とは反対の側壁に接触している。図５のｔｃの時点での可動鏡筒３５、固定鏡筒３１、球３４ａの相対位置を、図６に示している。
【００４５】
最後に、補正レンズ１２の光軸と撮影光学系２の光軸４を一致する位置に戻す。つまり、球３４ａを（Ｄ−ｄ）の半分の量を移動させる。結果として、球３４ａは固定鏡筒３１上の球３４ａを受ける円形の凹部３１ａのほぼ中心に位置することになり、図５のｔｄ時点での可動鏡筒３５、固定鏡筒３１、球３４ａの相対位置は、図４（ａ）の状態となる。
【００４６】
次に、上記したような初期化動作を行ったときのファインダ像を考える。初期化動作時には、通常の像振れ補正よりも大きく補正レンズ１２を動かすことになる。したがって、手振れ等の振れが無いにもかかわらず、像面上で被写体像が大きく動き、ファインダを覗いているユーザーに不自然さや不快感を与える。
【００４７】
そこで、本実施例１では、上記の初期化動作を、ファインダを観察しているユーザーに不自然さや不快感を与える事のない特定の条件下のみ行うようにする。その特定の条件下時にのみ初期化動作を行うよう、カメラシステム制御回路２５は、不図示のマウント接点を介してレンズシステム制御回路３０に指示を与える。レンズシステム制御回路３０は、カメラシステム制御回路２５から初期化動作の指示があったときに、初期化回路２８を駆動して初期化動作を実行する。
【００４８】
初期化動作により、ユーザーに不自然さや不快感を与える事のない条件として、撮影レンズ５の着脱時のタイミングを説明する。カメラシステム制御回路２５は撮影レンズ５の着脱状態をマウント接点の電気的な導通等により検出し、これに連動してレンズシステム制御回路３０に初期化動作の指示を送る。すると、レンズシステム制御回路３０は、特定の条件の一つであるとして初期化回路２８に初期化動作を行わせる。ＡＦのためのレンズ駆動や絞り駆動の前に初期化動作を行えるので、特定の条件として、特にこのような撮影レンズ装着時が望ましい。
【００４９】
図７に、カメラ動作に関するタイミングチャートを示している。図７に示したように、撮影レンズを外した状態から装着した状態に移行するタイミング（レンズのラインの立ち上がりのタイミング）、およびその逆のタイミング（レンズのラインの立下りのタイミング）では、一般的にユーザーはファインダを覗いていない（ＯＶＦのラインで覗いていない状態にある）。
【００５０】
このため、本実施例１では、撮影レンズが着脱されたことに連動して初期化動作を行うようにしている。このタイミングで初期化動作を行うことで、ユーザーに不自然さや不快感を与えることなく、適切にレンズ駆動装置３を駆動できる。また、適切に初期化動作が行われることで、可動鏡筒３５と固定鏡筒３１に狭持された球３４ａ〜３４ｂが像振れ補正動作時にすべり摩擦を生じることなく、転がり摩擦の状態になる。結果として良好な像振れ補正性能を得ることができる。
【００５１】
同様に図７から、電源のＯＦＦからＯＮの状態への移行のタイミング、およびその逆のタイミングにおいても、ユーザーはファインダを覗いていない。従って、電源のＯＮ／ＯＦＦの動作がなされたことに連動して初期化動作を行うようにしても良い。このタイミングで初期化動作を行っても、撮影レンズの着脱のタイミングと同様の効果を期待できる。
【実施例２】
【００５２】
次に、図８〜図９を用いて本発明の実施例２に係る撮像装置について説明する。なお、撮像装置は、図１に示すものと同様であるものとする。図８は、本実施例２における撮像装置の電気的構成を示すブロック図であり、６０はタイマである。その他は図２と同じであり、その説明は省略する。
【００５３】
ユーザーの操作が一定時間以上ないときはユーザーがファインダを注視していないときだと推定される。そこで、本実施例２では、この状態を特定の条件として検出し、初期化動作を行わせるようにするものである。
【００５４】
次に、図９のフローチャートを用いて、カメラシステム制御回路２５、レンズシステム制御回路３０、初期化回路２８の動作について説明する。図９において、ｔはタイマ６０の計測時間を、ｍＴはメモリ２４上に保存されている予め定められた値を、それぞれ示す。
【００５５】
電源投入と共に、カメラシステム制御回路２５はメモリ２４上の値の設定とタイマ６０の初期化（ｔ＝０，ｍＴ＝Ｔ）を行う（＃１０１）。ユーザーによる操作部材の操作は操作検出回路２９にて検出されている。カメラシステム制御回路２５は、操作検出回路２９からの信号があるたびにタイマ６０を初期化し、ユーザーの最後の操作からの時間を計測する（＃１０１→＃１０２→＃１０３→＃１０５）。
【００５６】
上記の時間計測の結果から、ユーザーの操作が一定時間Ｔ以上無いと判定したときは（＃１０２のＹＥＳ）、ユーザーがファインダを注視していないときだと推定されるので、カメラシステム制御回路２５はレンズシステム制御回路３０に初期化動作の指示を行う。初期化動作の指示を受けたレンズシステム制御回路３０は、初期化回路２８を駆動して初期化動作を開始する（＃１０４）。その後は、タイマ６０の初期化を行う（＃１０５）。このような動作を無限ループで電源投入期間に渡って行う。
【００５７】
本実施例２では、ユーザーの操作が一定時間以上無いような場合は、ユーザーがファインダを注視していないときだと推定されるので、初期化動作を行うようにしている。よって、上記実施例１と同様、ファインダを観察しているユーザーに不自然さや不快感を与える事なく、上記初期化動作を行うことができる。また、適切に初期化動作が行われることで、可動鏡筒３５と固定鏡筒３１に狭持された球３４ａ〜３４ｃが像振れ補正動作時にすべり摩擦を生じることなく、転がり摩擦の状態になるので、結果として良好な像振れ補正性能を得ることができる。
【実施例３】
【００５８】
図１０〜図１１を用いて本発明の実施例３に係る撮像装置について説明する。なお、撮像装置は、図１に示すものと同様であるものとする。図１０は、本実施例３における撮像装置の電気的構成を示すブロック図であり、６１はカウンタである。タイマ６０、カウンタ６１を除いて図２と同じであり、それらの説明は省略する。
【００５９】
次に、図１１のフローチャートを用いて、図１０の接続方法におけるカメラシステム制御回路２５、レンズシステム制御回路３０および初期化回路２８の動作について説明する。図１１において、ｔはタイマ６０の計測時間を、ｎはカウンタ６１の計測回数を、ｍＴ、ｍＮはメモリ２４上に保存されている予め定められた値を、ＴｏｕｔＦＬＧはタイムアウト用のフラグを、それぞれ示す。
【００６０】
ここで、タイムアウト用のフラグＴｏｕｔＦＬＧとは、ユーザーの操作が一定時間Ｔ行われないときに、電池の損耗を防ぐための動作に入ることを示すフラグである。図１１において、ＴｏｕｔＦＬＧ＝Ｈはタイムアウト中でシステムがスリープ状態に入っていることを示し、ＴｏｕｔＦＬＧ＝Ｌはシステムがアクティブの状態を示す。
【００６１】
電源投入と共に、カメラシステム制御回路２５はメモリ２４上の値の設定とタイマ６０、カウンタ６１およびタイムアウト用フラグの初期化（ｔ＝０、ｎ＝０，Ｔ＝ｍＴ，Ｎ＝ｍＮ、ＴｏｕｔＦＬＧ＝Ｌ）を行う（＃２０１）。ユーザーによる操作部材の操作は操作検出回路２９にて検出されている。カメラシステム制御回路２５は、操作検出回路２９からの信号があるたびに、操作がいわゆるＳ１操作であるか確認を行う（＃２０２→＃２０３）。この結果Ｓ１操作であった場合はカウンタ６１を１つカウントアップする（＃２０４）。なお、Ｓ１操作とは、ユーザーによる撮影準備の指示であり、具体的にはこの操作によりＡＦやＡＥ等の動作が開始される。
【００６２】
その後、フラグＴｏｕｔＦＬＧの確認を行う（＃２０５）。この結果、フラグＴｏｕｔＦＬＧ＝Ｈであればスリープ状態からの復帰動作を行い、その後タイマ６０を初期化する（＃２０６→＃２０７）。また、フラグＴｏｕｔＦＬＧ＝Ｌであればタイマ６０の初期化のみを行う（＃２０５→＃２０７）。
【００６３】
上記の動作を行うことで、ユーザーの最後の操作部材の操作からの時間を計測しているとともに、Ｓ１動作に伴うレンズ駆動装置３の動作回数を計測することになる。
【００６４】
上記の時間計測から、ユーザーの操作が一定時間以上ないときはユーザーが電源を切り忘れている場合であると推定される。このような時は、ユーザーがファインダを注視していないと推定される。そこで、タイマ６０の値が予め定められた値よりも大きくなったとき（＃２０８のＹＥＳ）であって、レンズ駆動装置３の動作回数が規定値よりも多いとき（＃２０９のＹＥＳ）、レンズシステム制御回路３０は初期化回路２８にタイミング信号を送信する。これにより、初期化回路２８はレンズシステム制御回路３０を介して初期化動作を行う（＃２１０）。その後は、レンズシステム制御回路３０はタイムアウト用フラグＴｏｕｔＦＬＧをＨにした後に、システムをスリープ状態に遷移させる（＃２１１）。さらにカウンタ６１をリセットする（＃２１２）。
【００６５】
本実施例３では、ユーザーの操作が一定時間以上ないときは、ユーザーはファインダを注視していないときだと推定されるので、その場合にのみ初期化動作を行うようにしている。よって、上記実施例１および２と同様、ファインダを観察しているユーザーに不自然さや不快感を与える事なく、上記初期化動作を行うことができる。さらに、レンズ駆動装置動作回数が規定値よりも多い場合にのみ初期化動作を行っている。よって、必要最低限の初期化動作を行うことが可能となる。また、適切に初期化動作が行われることで、可動鏡筒３５と固定鏡筒３１に狭持された球３４ａ〜３４ｂが像振れ補正動作時にすべり摩擦を生じることなく、転がり摩擦の状態になるので、結果として良好な像振れ補正性能を得ることができる。
【実施例４】
【００６６】
図１２ないし図１５は本発明の実施例４に係る撮像装置に係る図である。なお、撮像装置は図１に示すものと構成は同じであり、固定鏡筒３１の一部の形状のみ異なる。また、撮像装置の電気的構成は図２と同様であるものとする。
【００６７】
図１２および図１３を用いて、上記実施例１との違いについて詳述する。固定鏡筒３１上に設けられた球３４ａ，３４ｂ，３４ｃの受け部７０ａ，７０ｂ，７０ｃが、本実施例４では、楕円形状または菱形形状をしている。どちらの形状でも同様の効果が得られるが、ここでは説明を簡単にするために楕円形状に限って説明を行う。
【００６８】
図１２は、本実施例４における固定鏡筒３１の構造を示している。図１２（ａ）は固定鏡筒３１の斜視図を、図１２（ｂ）は光軸方向から見た平面を示している。球３４ａ〜３４ｃの受け部７０ａ〜７０ｃは、長軸が揃った楕円形状である。この楕円形状の球３４ａ〜３３４ｃの受け部７０ａ〜７０ｃをもつ撮像装置における初期化動作について説明する。
【００６９】
図１３（ａ），（ｂ），（ｃ）はそれぞれ初期化動作前、初期化動作中、初期化動作後の球３４ａと受け部７０ａの位置関係を示す図である。なお、球３４ｂ，３４ｃと受け部７０ｂ，７０ｃの位置関係も同様である。
【００７０】
図１３において、初期化動作を行う前は、球３４ａと受け部７０ａの位置関係が任意の状態にある（図１３（ａ）参照）。初期化動作が開始され、長軸方向に図示しない固定鏡筒３１と図示しない可動鏡筒３４の相対運動が起こると、球３４ａは転がって長軸方向に移動する。その後、球３４ａは受け部７０ａとの接点の接線方向には転がり、法線方向にはすべりが発生しながら図１３（ｂ）の位置まで移動する。そして、固定鏡筒３１と可動鏡筒３４の間に反対方向の相対運動が発生すると、球３４ａは転がりながら受け部７０ａの中心位置に移動する。つまり、長軸方向に十分な運動を行うことで、短軸方向についてもセンタリング可能となる。
【００７１】
なお、図１３では原理を分かりやすくするために、一方向の往復運動を行う場合で説明したが、実際には実施例１で示したような適切な大きさのＳ字運動を行うことが好ましい。Ｓ字運動を１軸方向に適切に行うことで、固定鏡筒３１と可動鏡筒３４が通常動作範囲にあるときに球３４ａ〜３４ｃが受け部７０ａ〜７０ｃに接触しないように、初期化動作を行うことが可能となる。なお、Ｓ字運動を２軸方向に適切に行うようにしても良い。
【００７２】
次に、上記の構成をもつ機構を撮影装置１に組み込んだ場合の好適な例を、図１４および図１５を用いて説明する。
【００７３】
図１４は、撮影装置１を上方と前方から見た模式図である。撮影装置１は、レリーズ釦１１が上に来るようにして、横長の構図を撮るように用いられることが多い。このときのいわゆるパンニング方向は７１に示す方向になる。レンズ駆動装置３に含まれる固定鏡筒３１を、図１４（ｂ）に示すように、パンニング動作時に速度が発生する方向に球３４ａ〜３４ｃ（図１４では不図示）の受け部７０ａ〜７０ｃの長軸が来るように配置する。
【００７４】
図１５は、上記のような構成にした撮像装置１における初期化動作を示すフローチャートであり、以下これにしたがって説明する。
【００７５】
電源投入時にカメラシステム制御回路２５においてパンニング検出条件が設定される。初期化動作はカメラシステム制御回路２５がパンニングを検出するまで実行されない。振れセンサ８の信号に基づいてカメラシステム制御回路２５がパンニングであることを検出すると（＃３０１→＃３０２のＹＥＳ）、カメラシステム制御回路２５から指示を受けたレンズシステム制御回路３０は、初期化回路２８を駆動してパンニング方向に大きなＳ字を描くように初期化動作を行う（＃３０３）。
【００７６】
本実施例４では、ユーザーがパンニングを行っているときは、該パンニングにより画角が変動している。よって、この際に初期化動作を行って画角の変動が生じても、ファインダを観察しているユーザーに不自然さや不快感を与える事は少ない。また、パンニング中に適切に初期化動作が行われることで、可動鏡筒３５と固定鏡筒３１に狭持された球３４ａ〜３４ｂが像振れ補正動作時にすべり摩擦を生じることなく、転がり摩擦の状態になるので、結果として良好な像振れ補正性能を得ることができる。
【００７７】
なお、パンニングに限らず、ティルティング或いは予め定められた値よりも振れセンサ８の出力が大きくなった状態を初期化動作の条件とすることができる。
【実施例５】
【００７８】
図１６および図１７は本発明の実施例５に係る撮像装置を示す図である。なお、撮像装置は図１に示すものと構成は同じであり、また、電気的構成は図２と同様であるものとする。
【００７９】
図１６は、撮影装置１にていわゆる露光を行われる際の状態を示す図である。図１との差異は、クイックリターンミラー１３が移動して、撮影光学系２からの光束が撮像素子６に届いている。このとき、クイックリターンミラー１３はファインダ光学系１４からの不要光をカットするように光路を覆うので、ファインダは消失した状態にある。本実施例５では、この状態、つまり露光の直前または直後が初期化動作を行う特定の条件を満たすときであるとして、レンズシステム制御回路３０は初期化回路２８を駆動して初期化動作を行うものである。
【００８０】
図１７は、本実施例５における初期化動作を示すフローチャートである。図１７において、ｍＴ１は初期化間隔を決めるパラメータ、ｍＴ２は初期化動作を許容するシャッタ速度を決めるパラメータである。
【００８１】
電源投入と共に、カメラシステム制御回路２５はメモリ２４からデータを取り込み、Ｔ１をｍＴ１に、Ｔ２をｍＴ２に、それぞれ初期化する。また、タイマ６０も初期化（ｔ＝０）する（＃４０１）。次いでレンズシステム制御回路３０は、初期化回路２８に初期化動作を開始させる（＃４０２）。その後、初期化間隔を決める一定以上の時間Ｔ１が経過すると（＃４０３のＹＥＳ）、シャッタ速度が予め定められた時間よりも長いか否かを判定する（＃４０４）。この結果、シャッタ速度Ｔｖが初期化動作を許容する予め定められた時間Ｔ２よりも長い（Ｔｖ＞Ｔ２）場合は（＃４０４のＹＥＳ）、次に連写中か否かを判定する（＃４０５）。ここで、連写中で無い場合に限ってレンズシステム制御回路３０は、初期化回路２８を駆動して初期化動作を行い（＃４０６）、次いでタイマ６０の初期化を行う（＃４０７）。
【００８２】
上記のようなタイミングで初期化動作を行うことで、手ぶれ補正に大きな駆動量が求められる長秒露光時に適切な補正を行うことが出来る。また、連写中の初期化動作を行わないことで、ユーザーに不快感を与えたり、シャッタチャンスを損なったりすることなく、初期化動作を行うことができる。
【００８３】
その他の初期化動作のタイミングとして、電源の切断操作が行われた直後、あるいは、初期化動作が行われてからのレンズ駆動時間やレンズ駆動回数が予め与えられた値よりも大きくなった場合を、特定の条件下として、初期化動作を行うようにしても、同様の効果を得ることができる。
【００８４】
なお、上記の実施例においては、カメラシステム制御回路２５がレンズシステム制御回路３０に対して、特定の条件下時において初期化動作を行う旨の指示を与えている。そして、レンズシステム制御回路３０は、この初期化動作の指示を受けたときに、初期化回路２８を駆動して初期化動作を行うようにしている。
【００８５】
しかし、カメラシステム制御回路とレンズシステム制御回路の初期化動作に関する信号のやりとりはこれに限らない。
【００８６】
例えば、レンズシステム制御回路３０は、初期化動作を行う特定の条件を予め記憶しており、カメラシステム制御回路２５から送られてくる信号がこの条件を満たす場合に、初期化回路２８を駆動して初期化動作を行うようにしても良い。この場合、カメラシステム制御回路２５は、レンズシステム制御回路３０に対して直接的に初期化動作を行う旨の指示を与えるのではなく、単に撮像装置の状態を知らせる信号を与えるのみとなる。具体的には、カメラシステム制御回路２５は、撮影レンズが着脱された旨の信号や、一定時間操作部材が操作されなかった旨の信号、あるいはパンニングが実行されている旨の信号や露光の直前もしくは直後の状態にある旨の信号といった信号をレンズシステム制御回路３０に送る。レンズシステム制御回路３０は、カメラシステム制御回路２５から送られてくる撮像装置の状態を示す信号が、初期化動作を行うべき特定の条件を満たすものであるかを判断し、初期可動作を行うかを決定する。
【００８７】
このように構成された撮像装置１と撮影レンズ５のシステムにおいても、上記各実施例で説明したものと同様の効果を得ることが出来る。
【図面の簡単な説明】
【００８８】
【図１】本発明の実施例１に係る撮像装置を示す断面図である。
【図２】図１の撮像装置の電気的構成を示すブロック図である。
【図３】本発明の実施例１に係るレンズ駆動装置を示す分解斜視図である。
【図４】図３のレンズ駆動装置の要部構成を示す断面図である。
【図５】図３のレンズ駆動装置において可動鏡筒と固定鏡筒の相対関係を示す図である。
【図６】図３のレンズ駆動装置の要部構成を示す断面図である。
【図７】図１の撮像装置の主要部のタイミングチャートである。
【図８】本発明の実施例２に係る撮像装置の電気的構成を示すブロック図である。
【図９】本発明の実施例２に係る撮像装置の電主要部分の動作を示すフローチャートである。
【図１０】本発明の実施例３に係る撮像装置の電気的構成を示すブロック図である。
【図１１】本発明の実施例３に係る撮像装置の主要部分の動作を示すフローチャートである。
【図１２】本発明の実施例４に係る固定鏡筒を示す構成図である。
【図１３】本発明の実施例４における初期化動作についての説明図である。
【図１４】本発明の実施例４に係る撮像装置を示す上面図および正面図である。
【図１５】本発明の実施例４に係る撮像装置の主要部分の動作を示すフローチャートである。
【図１６】本発明の実施例５に係る撮像装置を示す断面図である。
【図１７】本発明の実施例５に係る撮像装置の主要部分の動作を示すフローチャートである。
【符号の説明】
【００８９】
１              撮像装置
２              撮影光学系
３              レンズ駆動装置
４              光軸
５              撮影レンズ
６              撮像素子
７              メモリ
８              振れセンサ
１２            補正レンズ
２４            メモリ
２５            カメラシステム制御回路
２８            初期化回路
３０            レンズシステム制御回路
３１            固定鏡筒
３１ａ          凹部
３４ａ〜３４ｃ  球
３５            可動鏡筒
６０            タイマ
７０ａ〜７０ｃ  受け部
【図１】
2008070659.tif 000003
【図２】
2008070659.tif 000004
【図３】
2008070659.tif 000005
【図４】
2008070659.tif 000006
【図５】
2008070659.tif 000007
【図６】
2008070659.tif 000008
【図７】
2008070659.tif 000009
【図８】
2008070659.tif 000010
【図９】
2008070659.tif 000011
【図１０】
2008070659.tif 000012
【図１１】
2008070659.tif 000013
【図１２】
2008070659.tif 000014
【図１３】
2008070659.tif 000015
【図１４】
2008070659.tif 000016
【図１５】
2008070659.tif 000017
【図１６】
2008070659.tif 000018
【図１７】
2008070659.tif 000019